(57)【要約】      （修正有）【課題】節句人形などの飾り物の収納スペースや飾った時のスペースのさらなる省スペース化が可能な飾り台を提供する。【解決手段】飾り台１０は、飾り物２２を載置するための複数の飾り板１２と、複数の飾り板の各々が嵌合可能な複数の嵌合孔１８が形成され、鉛直方向に対して傾斜した傾斜壁部１６を有する支持構造物１４と、を備え、複数の飾り板の各々は、複数の嵌合孔に嵌合可能な嵌合部を有し、該嵌合部が複数の嵌合孔に嵌合された状態で、複数の飾り板は夫々異なる高さに配置され、かつ、平面視で互いに重なり合うように配置される。【選択図】図３
0003228824.tif 000002
【実用新案登録請求の範囲】
【請求項１】
飾り物を載置するための複数の飾り板と、
前記複数の飾り板の各々が嵌合可能な複数の嵌合孔が形成され、鉛直方向に対して傾斜した傾斜壁部を有する支持構造物と、
を備え、
前記複数の飾り板の各々は、前記複数の嵌合孔に嵌合可能な嵌合部を有し、該嵌合部が前記複数の嵌合孔に嵌合された状態で、前記複数の飾り板は夫々異なる高さに配置され、かつ、平面視で互いに重なり合うように配置される、
飾り台。
【請求項２】
前記複数の嵌合孔は、前記傾斜壁部で水平方向に沿って延在するスリット状貫通孔で形成され、かつ、高さ方向に互いに間隔を置いて並列に配置されている、
請求項１に記載の飾り台。
【請求項３】
前記嵌合部は、前記飾り板の側端面の少なくとも一部から前記飾り板の表裏面に沿う方向に突出した板状体で構成されている、
請求項１又は２に記載の飾り台。
【請求項４】
前記支持構造物は、
前記傾斜壁部を有する第１板部と、
前記第１板部と一端部側同士で第１ヒンジ部を介して結合された第２板部と、
を有し、
前記第１ヒンジ部を含む面内において、前記第１ヒンジ部から前記第１板部の他端部までの長さは、前記第１ヒンジ部から前記第１板部の前記他端部側に位置する前記第２板部の端部までの長さより長くなるように構成されている、
請求項１乃至３の何れか一項に記載の飾り台。
【請求項５】
前記第１ヒンジ部を中心とした前記第１板部及び前記第２板部がなす開き角を規定するためのストッパを備える、
請求項４に記載の飾り台。
【請求項６】
前記第１板部及び前記第２板部が前記ストッパで規定された前記開き角を有するとき、前記第１板部は鉛直方向に対して傾斜するように配置され、かつ、前記第２板部は鉛直方向に沿って配置されるように構成されている、
請求項５に記載の飾り台。
【請求項７】
前記ストッパの一端部は前記第１板部又は前記第２板部の一方に第２ヒンジ部を介して結合され、
前記第１板部又は前記第２板部の他方に設けられた突起部と、
前記ストッパの他端側に設けられ、前記規定された開き角となったとき前記突起部が嵌合可能な凹部と、
を備える、
請求項５又は６に記載の飾り台。
【請求項８】
前記傾斜壁部は傾斜隔壁で構成されると共に、前記嵌合孔は、前記傾斜隔壁の垂線方向に沿って貫通するように形成され、
前記飾り板の前記嵌合部には、該嵌合部が前記嵌合孔に嵌合した状態で前記飾り板が水平姿勢となるように溝が形成されている、
請求項１乃至７の何れか一項に記載の飾り台。
【請求項９】
前記傾斜隔壁が鉛直方向に対してなす角度をθ１とし、前記溝の底面が前記飾り板の上面に対してなす角度をθ２としたとき、θ２≦θ１を満たすように構成される、
請求項８に記載の飾り台。
【請求項１０】
前記傾斜隔壁に形成された前記嵌合孔の奥行寸法をｔ１とし、前記溝の奥行寸法をｔ２としたとき、ｔ１≦ｔ２を満たすように構成される、
請求項８又は９に記載の飾り台。
【請求項１１】
前記傾斜隔壁が鉛直方向に対してなす角度をθ１とし、前記嵌合孔の奥行寸法をｔ１とし、前記嵌合孔の前記垂線と直交する上下方向の寸法をｄとしたとき、前記溝が形成された前記嵌合部の最小厚さｘは、下記（１）式を満たすように構成される、
請求項８乃至１０の何れか一項に記載の飾り台。
ｘ≦ｄ・ｃｏｓθ１−ｔ１・ｓｉｎθ１      （１）
【考案の詳細な説明】
【技術分野】
【０００１】
本開示は、祝いの品などを飾る飾り台に関する。
【背景技術】
【０００２】
日本では、江戸時代から、５節句と称して、祝い品や子供のお守りを飾って子供の無事な成長を祈願する行事が行われている。例えば、正月には、羽子板や破魔弓を飾り、３月の桃の節句ではひな人形を飾り、５月の端午の節句では五月人形を飾っている。しかし、核家族化が進み、都市部への人口集中が進んでいる現代では、住宅事情から、収納スペースや飾り用スペースの確保が難しくなってきている。この問題を解決するため、例えば、特許文献１では、収納箱を階段状にして収納箱と飾り台を兼用可能にし、かつ一般の室内用飾り台にも兼用できる伸長式飾り台を提案している。また、特許文献２には、節句人形の収納容器と飾り台とに兼用可能であり、外側表面に高級感をもたせた櫃が提案されている。
【先行技術文献】
【特許文献】
【０００３】
【特許文献１】特開２００５−３４９１４９号公報
【特許文献２】実用新案登録第３１２５４１０号公報
【考案の概要】
【考案が解決しようとする課題】
【０００４】
特許文献１に記載された飾り台は、収納時のスペースをひな人形を飾るために組み立てたときと比べて何分の一かに縮小できるが、依然として一定以上の収納スペースや飾りスペースを必要とする。また、特許文献２に記載された飾り台も収納スペースを収納時に本来櫃がもつ容積以下の容積に縮小することはできない。従って、最終的な解決策にはなっていない。
【０００５】
本開示は、節句人形などの飾り物の収納スペースや飾った時のスペースのさらなる省スペース化が可能な飾り台を提案することを目的とする。
【課題を解決するための手段】
【０００６】
本開示に係る一態様の飾り台は、飾り物を載置するための複数の飾り板と、前記複数の飾り板の各々が嵌合可能な複数の嵌合孔が形成され、鉛直方向に対して傾斜した傾斜壁部を有する支持構造物と、を備え、前記複数の飾り板の各々は、前記複数の嵌合孔に嵌合可能な嵌合部を有し、該嵌合部が前記複数の嵌合孔に嵌合された状態で、前記複数の飾り板は夫々異なる高さに配置され、かつ平面視で互いに重なり合うように配置される。
【考案の効果】
【０００７】
本開示に係る一態様の飾り台によれば、組立てが容易でコンパクト化が可能になると共に、配置スペースを縮小できる。また、必要な飾り面の面積を確保できるため、節句人形と共に、別な飾り物も置くことができる。
【図面の簡単な説明】
【０００８】
【図１】一実施形態に係る飾り台（組立前）の斜視図である。
【図２】一実施形態に係る飾り台（組立後）の斜視図である。
【図３】一実施形態に係る飾り台（飾り物載置後）の斜視図である。
【図４】一実施形態に係る飾り台の背面側の斜視図である。
【図５】一実施形態に係る飾り台（収納時）の一部を省略した側面図である。
【図６】一実施形態に係る飾り板の斜視図である。
【図７】一実施形態に係る飾り台（収納時）の背面図である。
【図８】一実施形態に係る第１板部の傾斜壁部における嵌合部の断面図である。
【考案を実施するための形態】
【０００９】
以下、添付図面を参照して本考案の幾つかの実施形態について説明する。ただし、実施形態として記載され又は図面に示されている構成部品の寸法、材質、形状、その相対的配置等は、本考案の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一つの構成要素を「備える」、「具える」、「具備する」、「含む」、又は「有する」という表現は、他の構成要素の存在を除外する排他的な表現ではない。
【００１０】
図１〜図３は、一実施形態に係る飾り台１０を示す斜視図であり、組立順に従って図番を付している。即ち、図１は組立前の状態を示し、図２は、組立後の飾り台１０を示し、図３は、組立後の飾り台１０に飾り物を載置した状態を示している。図１〜図３は、飾り台１０を前方側、即ち鑑賞する側から視た斜視図である。図４は、組立後の飾り台１０を背面側（鑑賞側と反対側）から視た斜視図である。
【００１１】
飾り台１０は、飾り物を載置するための複数の飾り板１２と、複数の飾り板１２が取り付けられる支持構造物１４を備えている。支持構造物１４は鉛直方向に対して傾斜した傾斜壁部１６を備え、傾斜壁部１６には複数の嵌合孔１８が形成されている。各飾り板１２は各嵌合孔１８嵌合可能な嵌合部２０（図４参照）を有し、嵌合部２０が各嵌合孔１８に嵌合されることで飾り板１２が支持構造物１４に取り付けられる。複数の飾り板１２の嵌合部２０が嵌合孔１８に嵌合された状態で、複数の飾り板１２は夫々異なる高さに配置されると共に、平面視で互いに重なり合うように配置される。
【００１２】
このように、嵌合孔１８に飾り板１２を嵌合するだけで飾り台１０を容易に組み立てることができる。飾り台１０は基本的に支持構造物１４及び複数の飾り板１２のみで構成されているため、コンパクト化が可能になる。また、複数の飾り板１２は支持構造物１４に夫々異なる高さに取り付けられるため、各飾り板１２の上面に飾り物を置く空間を確保できる。さらに、嵌合孔１８に嵌合する飾り板１２の数を調節することで、必要な飾り面の面積を確保できる。複数の飾り板１２は、平面視で互いに重なり合うように配置されるため、水平方向の配置スペースを縮小できる。このように、場所を取らないため、節句人形を飾る時期が終わっても飾り台を収納せずに、別な飾り物を飾っておくこともできる。
【００１３】
図３は、飾り板１２に飾り物として例示的にひな人形２２を載置した例を示しているが、ひな人形２２以外に羽子板２４も飾られている。必要に応じて、支持構造物１４に取り付ける飾り板１２の数を調節することで、節句人形以外の祝い品や飾り物を飾って置くこともできる。図示の実施形態では、飾り板１２の上面に毛氈２６を敷き詰めて華やかさを出している。
【００１４】
図５は、飾り台１０の組立前の支持構造物１４の側面図である。一実施形態では、支持構造物１４は、第１板部３０と第２板部３２とで構成され、第１板部３０は複数の嵌合孔１８が形成された傾斜壁部１６を有する。第１板部３０と第２板部３２とは一端側同士で第１ヒンジ部３４を介して互いに回動可能に結合されている。第１ヒンジ部３４を含む面（傾斜壁部１６の表面に沿う面）内において、第１ヒンジ部３４から第１板部３０の他端部３０ｂまでの長さＬ１は、第１ヒンジ部３４から第２板部３２の他端部３２ｂまでの長さＬ２より長くなるように構成されている。
【００１５】
このような構成によれば、支持構造物１４の主要な構成物が第１板部３０及び第２板部３２のみで構成されるため、支持構造物１４を軽量化かつコンパクト化できると共に、飾り台１０の省スペース化が可能になる。また、図４に示すように、組立時に、第１板部３０と第２板部３２との間に所定の開き角αをもたせ、傾斜壁部１６の表面が上下方向を向くように立設したとき、長さＬ２＜長さＬ１であるため、第１板部３０を鉛直方向に対して傾斜して配置できる。これによって、第１板部３０及び第２板部３２を安定して据え付けでき、倒れを抑制できる。また、図５に示すように、収納時に、第１板部３０と第２板部３２との開き角αを零にし、互いに平行となるように畳むことで、従来と比べて収納時のスペースを各段に縮小できる。
【００１６】
図４に示す例示的な実施形態では、第１板部３０及び第２板部３２は、長方形の板状体で構成されている。第１板部３０及び第２板部３２の幅はほぼ同一である。第２板部３２は外縁部のみからなり内側が空間を形成しているため軽量化できる。図５に示すように、第１板部３０は、飾り板１２が取り付けられるため、第２板部３２より大きな強度を必要とし、第２板部３２より大きな板厚を有する。
【００１７】
図５に示す例示的な実施形態では、第１ヒンジ部３４は実質的に第１板部３０の一端部３０ａと第２板部３２の一端部３２ａに取り付けられている。別な実施形態では、第１ヒンジ部３４を第１板部３０の端部３０ａから長手方向に離れた位置に配置できる。また、飾り板１２、第１板部３０及び第２板部３２を檜などの木材を使用することで、軽量感を出すことができる。
【００１８】
図２に示す例示的な実施形態では、複数の飾り板１２は長方形をなし、同一の形状及び大きさを有する。複数の飾り板１２の両側短辺は、正面（鑑賞側）視で同一位置に重なるように揃えられ、かつ第１板部３０の鉛直方向に対する傾斜に従って、長方形の両側長辺は平面視で平行にずれて配置されている。このように配置されるため、水平方向のスペースを広げることなく、各飾り板１２の上面に形成される陳列空間を確保できる。
【００１９】
一実施形態では、図１に示すように、支持構造物１４が上下方向に立った状態において、第１板部３０の傾斜壁部１６に形成された複数の嵌合孔１８は、水平方向に沿って延在するスリット状貫通孔で形成され、かつ高さ方向に互いに間隔を置いて並列に配置される。これによって、各嵌合孔１８に嵌合される複数の飾り板１２は、夫々異なる高さに配置でき、各飾り板１２上で飾り物の配置スペースを確保できる。また、複数の嵌合孔１８の数及び嵌合孔１８間の間隔を適宜選択して配置すると共に、飾り板１２の嵌合部２０を嵌合する嵌合孔１８を適宜選択することで、支持構造物１４に取り付ける飾り板１２の数及び取付場所を選択できる。
【００２０】
図１に示す例示的な実施形態では、複数の嵌合孔１８は水平方向に延在する直線状のスリット状貫通孔で構成され、各嵌合孔１８は平行に配置され、各嵌合孔１８間の間隔は等間隔に配置されている。さらに、各嵌合孔１８は同一形状及び同一大きさを有している。
【００２１】
図６は、一実施形態に係る飾り板１２を示す斜視図である。飾り板１２の嵌合部２０は、飾り板１２の側端面１２ａの少なくとも一部から飾り板１２の表裏面に沿う方向に突出した板状体で構成されている。このように、嵌合部２０が飾り板１２の表裏面に沿う方向に突出しているので、作業員が飾り板１２を持って嵌合部２０を嵌合孔１８に挿入するのが容易になる。
【００２２】
一実施形態では、嵌合部２０は、飾り板１２の長辺から飾り板１２の表裏面に沿う方向に突出した長方形の板状体で構成されている。飾り板１２及び嵌合部２０の表裏面は、段差なく連続した面を構成し、飾り板１２と嵌合部２０とは同一板厚を有する。嵌合孔１８の幅と嵌合部２０の板厚との関係は、嵌合部２０が嵌合孔１８に挿入しやすく、かつ嵌合部２０が嵌合孔１８に挿入されたとき、ぐらぐらしないように選択される。
【００２３】
図６に示す例示的な実施形態では、嵌合部２０は飾り板１２の長辺中央部から飾り板１２の表裏面に沿う方向に突出した長方形の板状体で構成されている。また、複数の飾り板１２の嵌合部２０は同一形状及び同一大きさを有する。これによって、複数の嵌合孔１８が同一形状及び同一大きさを有する場合、複数の嵌合部２０は任意の嵌合孔１８に嵌合でき、特定の嵌合孔１８を選ぶ必要がない。
【００２４】
一実施形態では、図４に示すように、第１ヒンジ部３４を中心とした第１板部３０及び第２板部３２がなす開き角αを規定するためのストッパ４０を備えている。ストッパ４０によって所望の開き角に固定できるため、第１板部３０及び第２板部３２を上下方向の安定した立ち姿勢で据え付けできる。
【００２５】
一実施形態では、開き角α及び長さＬ１及びＬ２の大小関係を適宜選択することで、第１板部３０を鉛直方向に対して傾斜するように配置し、かつ第２板部３２を鉛直方向に沿って配置することができる。このように、第２板部３２を鉛直方向に沿って配置できるため、支持構造物１４の設置スペースを縮小できる。例えば、第２板部３２を室内の壁面に隙間なく接するように配置できるため、飾り台１０の設置スペースを縮小できる。
図４に示す例示的な実施形態では、ストッパ４０は棒状体で構成され、横断面が矩形を有する。
【００２６】
一実施形態では、図４に示すように、ストッパ４０の一端部は第１板部３０又は第２板部３２の一方に第２ヒンジ部４２を介して回動可能に結合され、第１板部３０又は第２板部３２の他方に突起部４４が設けられる。第１板部３０と第２板部３２とが閉じられ、開き角θが零となったとき、突起部４４が嵌合可能なストッパ４０の部位に凹部４６が形成されている。飾り台１０を組み立てるとき、第１ヒンジ部３４を中心にストッパ４０を回動して凹部４６を突起部４４に嵌合させるだけで、第１板部３０及び第２板部３２を所定の開き角αに固定した状態とすることができる。また、飾り台１０を収納するときは、凹部４６から突起部４４を外すだけで、開き角αが解除できる。これによって、開き角αが零になるように第１板部３０と第２板部３２とを互いに閉じることができる。従って、飾り台１０の組立又は収納が容易になる。
【００２７】
図４に示す実施形態では、第２ヒンジ部４２が第１板部３０の裏面に取り付けられ、突起部４４が第２板部３２に取り付けられているが、第２ヒンジ部４２が第２板部３２に取り付けられ、突起部４４が第１板部３０の裏面に取り付けられていてもよい。
【００２８】
図４に示す例示的な実施形態では、ストッパ４０は、ストッパ本体に対して直交する方向に延在する支持部４８がストッパ本体に結合され、ストッパ本体は支持部４８を介して第２ヒンジ部４２に取り付けられている。また、突起部４４は第２板部３２の外縁を形成する枠体の内側面から内側空間へ突出したボルトで構成されている。
【００２９】
図７は、第１板部３０及び第２板部３２の収納時の状態を示す背面図である。図７に示すように、飾り台１０の収納時に、第１板部３０と第２板部３２とを開き角αが零となるように互いに平行に畳み、かつストッパ４０を第１ヒンジ部３４を中心に回動して第１板部３０の裏面に平行に配置させることで、支持構造物１４を薄い板状となるように折り畳むことができる。
【００３０】
一実施形態では、開き角αを零にし、ストッパ４０を第１板部３０の背面に接するように配置したとき、ストッパ４０には突起部４４を嵌合可能な凹部５２が形成されている。収納時に、突起部４４を凹部５２に嵌合させることで、第２板部３２を第１板部３０の背面に当接できる。これによって、図５に示すように、第１板部３０及び第２板部３２の板厚のみの厚さに折り畳むことができる。従って、従来と比べて、飛躍的に収納スペースを縮小できる。
【００３１】
図８は、第１板部３０の傾斜隔壁１６形成された嵌合孔１８に飾り板１２の嵌合部２０を嵌合させた状態を示す断面図である。一実施形態では、傾斜壁部１６は、少なくとも嵌合孔１８の周辺で一定の厚さｔ１を有する傾斜隔壁で構成される。また、嵌合孔１８は、傾斜壁部１６の垂線Ｌｐの方向に沿って貫通するように形成される。鉛直方向に対して傾斜した傾斜隔壁１６に垂線Ｌｐの方向に嵌合孔１８が形成されたとき、嵌合孔１８に嵌合された嵌合部２０は傾斜隔壁１６が鉛直方向に対して傾いた角度θ１だけ水平方向から傾いてしまう。従って、嵌合部２０の面と飾り板１２の面とが同じ方向の連続面を形成するとき、飾り板１２の上面は嵌合部２０と同じ角度で傾いてしまう。そのため、飾り板１２及び嵌合部２０の傾きをなくすため、嵌合部２０の上面に溝５０が形成されている。溝５０の存在によって、嵌合部２０が嵌合孔１８に嵌合した状態で飾り板１２が水平姿勢となることができる。従って、飾り板１２の上面に飾り物を安定して載置できる。
【００３２】
一実施形態では、図８に示すように、溝５０の底面が飾り板１２の上面に対してなす角度をθ２としたとき、角度θ２は、傾斜壁部１６が鉛直方向に対してなす角度θ１に対して、θ２≦θ１を満たすように構成される。これによって、嵌合部２０を嵌合孔１８に挿入したとき、飾り板１２の姿勢を水平方向に保持できる。
【００３３】
図８は、θ２＜θ１の関係にあるときの嵌合孔１８に対する嵌合部２０の位置関係を示している。θ２＜θ１の関係にあって、嵌合部２０を水平方向に配置した時、底面５０ａと嵌合孔１８の内面との間に、嵌合孔１８の内面の角度θ１と溝５０の底面５０ａの角度θ２との角度差により隙間ｓが発生するが、嵌合部２０は最小限傾斜隔壁１６の支持点Ｐ及びＱで支持されるため、隙間ｓが生じても水平方向の姿勢に保持される。θ１＝θ２のとき、底面５０ａの全面が嵌合孔１８の内面に接した状態で嵌合部２０が水平方向の姿勢で保持されるため、飾り板１２の水平方向の姿勢保持力を向上できる。θ１＜θ２の場合、嵌合部２０が嵌合孔１８に嵌合した状態で嵌合部２０を水平方向に保持できず、嵌合孔１８は支持点Ｑ側が上方に傾いてしまう。
【００３４】
一実施形態では、溝５０の底面５０ａと側面５０ｂとは９０°以上の角度を有するように形成される。これによって、θ２≦θ１を満たすとき、嵌合部２０は、側面５０ｂに干渉せずに支持点Ｑで傾斜隔壁１６に確実に支持される。一方、底面５０ａと側面５０ｂとが９０°未満の角度のとき、嵌合部２０は、側面５０ｂに干渉して支持点Ｑで傾斜隔壁１６に確実に支持されない場合があり、このとき、飾り板１２が水平方向の姿勢で支持されない場合が出てくる。また、底面５０ａ及び側面５０ｂを平面で構成することで、嵌合部２０を支持点Ｑで確実に支持させることができる。
【００３５】
一実施形態では、嵌合孔１８の奥行寸法（垂線Ｌｐの方向に沿う寸法）をｔ１とし、溝５０の奥行寸法をｔ２としたとき、ｔ１≦ｔ２を満たすように構成される。このように、溝５０の奥行寸法ｔ２を嵌合孔１８の奥行寸法ｔ１以上とすることで、嵌合孔１８の内面全面を底面５０ａで受けることができるため、嵌合部２０が嵌合孔１８から抜け出すのを抑制する効果を高めることができる。
【００３６】
一実施形態では、図８に示すように、嵌合孔１８の垂線Ｌｐと直交する上下方向寸法をｄとしたとき、溝５０が形成された嵌合部２０の鉛直方向厚さｘは、次の（１）式を満たすように構成される。
ｘ≦ｄ・ｃｏｓθ１−ｔ１・ｓｉｎθ１      （１）
【００３７】
図８に示すように、嵌合部２０が嵌合孔１８に嵌合したとき、嵌合部２０は、最小限傾斜隔壁１６の鑑賞側表面１６ａにおける嵌合孔１８の最上点Ｐと、傾斜隔壁１６の裏面１６ｂの最下点Ｑとで支持される。嵌合部２０が嵌合孔１８に挿入されたとき、上記（１）式を満たせば、嵌合部２０及び飾り板１２の姿勢を水平に保持することができる。逆に、上記（１）式を待たさないとき、嵌合部２０及び飾り板１２の姿勢を水平に保持できない。
【００３８】
上記各実施形態に記載の内容は、例えば以下のように把握される。
【００３９】
１）一態様の飾り台（１０）は、飾り物（２２、２４）を載置するための複数の飾り板（１２）と、前記複数の飾り板（１２）の各々が嵌合可能な複数の嵌合孔（１８）が形成され、鉛直方向に対して傾斜した傾斜壁部（１６）を有する支持構造物（１４）と、を備え、前記複数の飾り板（１２）の各々は、前記複数の嵌合孔（１８）に嵌合可能な嵌合部（２０）を有し、該嵌合部（２０）が前記複数の嵌合孔（１８）に嵌合された状態で、前記複数の飾り板（１２）は夫々異なる高さに配置され、かつ平面視で互いに重なり合うように配置される。
【００４０】
このような構成によれば、上記傾斜壁部に形成された嵌合孔に飾り板を嵌合するだけで飾り台を簡単に組み立てることができると共に、飾り台をコンパクト化できる。また、複数の飾り板は上記支持構造物に夫々異なる高さに取り付けられるため、各飾り板の上面に飾り物を載置するスペースを確保でき、かつ支持構造物に取り付けられる飾り板の数を調節することで、必要な飾り面の面積を確保できる。従って、節句人形と関係ない別な置物も置くこともできる。さらに、複数の飾り板は平面視で互いに重なり合うように配置されるため、水平方向の配置スペースを縮小できる。このように、場所を取らないため、節句人形を飾る時期が終わっても、飾り台を収納せずに、別な飾り物を飾っておくこともできる。
【００４１】
２）別な態様に係る飾り台（１０）は、１）に記載の飾り台であって、前記複数の嵌合孔（１８）は、前記傾斜壁部（１６）で水平方向に沿って延在するスリット状貫通孔で形成され、かつ、高さ方向に互いに間隔を置いて並列に配置されている。
【００４２】
このような構成によれば、複数の飾り板を上記スリット状貫通孔に嵌合することで、複数の飾り板は、夫々異なる高さで水平方向に配置できる。従って、占有するスペースの割に、各飾り板上に飾り物の広い配置スペースを確保できる。
【００４３】
３）さらに別な態様に係る飾り台（１０）は、１）又は２）に記載の飾り台であって、前記嵌合部（２０）は、前記飾り板（１２）の側端面（１２ａ）の少なくとも一部から前記飾り板（１２）の表裏面に沿う方向に突出した板状体で構成されている。
【００４４】
このような構成によれば、作業員が飾り板を手に持って嵌合部を嵌合孔に挿入するだけの簡単な操作で飾り板の取付けが可能になる。また、上記嵌合部は飾り板の表裏面に沿う方向に突出しているので、作業員が嵌合部を嵌合孔に挿入しやすい。
【００４５】
４）さらに別な態様に係る飾り板（１０）は、１）乃至３）の何れかに記載の飾り台であって、前記支持構造物（１４）は、前記傾斜壁部（１６）を有する第１板部（３０）と、前記第１板部（３０）と一端部側同士で第１ヒンジ部（３４）を介して結合された第２板部（３２）と、を有し、前記第１ヒンジ部（３４）を含む面内において、前記第１板部（３０）の前記第１ヒンジ部（３４）から他端部までの長さは、前記第２板部（３２）の前記第１ヒンジ部（３４）から他端部までの長さより長くなるように構成されている。
【００４６】
このような構成によれば、支持構造物の主要な構成物が第１板部及び第２板部のみで構成されるため、支持構造物を軽量化かつコンパクト化できる。これによって、飾り台の省スペース化が可能になる。また、第１板部の第１ヒンジ部から他端部までの長さが、第２板部の第１ヒンジ部から他端部までの長さより長いため、第１板部及び第２板部を所定の開き角として立設したとき、第１板部を鉛直方向に対して傾斜させることができる。これによって、第１板部及び第２板部を安定して据え付けでき、倒れを抑制できる。さらに、収納時には、第１板部と第２板部とは、第１ヒンジ部を中心とした開き角を零にし、互いに平行になるように畳むことで、従来と比べて収納時のスペースを格段に縮小できる。
【００４７】
５）さらに別な態様に係る飾り台（１０）は、４）に記載の飾り台であって、前記第１ヒンジ部（３４）を中心とした前記第１板部（３０）及び前記第２板部（３２）がなす開き角（α）を規定するためのストッパ（４０）を備える。
【００４８】
このような構成によれば、上記ストッパにより上記開き角を所望の開き角に固定できるため、第１板部及び第２板部を安定して据え付けできる。
【００４９】
６）さらに別な態様に係る飾り台（１０）は、５）に記載の飾り台であって、前記第１板部（３０）及び前記第２板部（３２）が前記ストッパ（４０）で規定された前記開き角（α）を有するとき、前記第１板部（３０）は鉛直方向に対して傾斜するように配置され、かつ、前記第２板部（３２）は鉛直方向に沿って配置されるように構成されている。
【００５０】
このような構成によれば、第２板部を室内の壁面に隙間なく接するように配置できるため、飾り台の設置スペースを縮小できる。
【００５１】
７）さらに別な態様に係る飾り台（２０）は、５）又は６）に記載の飾り台であって、前記ストッパ（４０）の一端部は前記第１板部（３０）又は前記第２板部（３２）の一方に第２ヒンジ部（４２）を介して結合され、前記第１板部（３０）又は前記第２板部（３２）の他方に設けられた突起部（４４）と、前記ストッパ（４０）の他端側に設けられ、前記規定された開き角（α）になったとき前記突起部（４４）が嵌合可能な凹部（４６）と、を備える。
【００５２】
このような構成によれば、第１板部と第２板部とが規定された開き角となったとき、ストッパの他端側で上記突起部が上記凹部に嵌合するので、第１板部及び第２板部とを規定された開き角で固定できる。また、収納時には、突起部を凹部から出すだけで開き角を解除できる。
【００５３】
８）さらに別な態様に係る飾り台（１０）は、１）乃至７）の何れかに記載の飾り台であって、前記傾斜壁部（１６）は傾斜隔壁で構成されると共に、前記嵌合孔（１８）は、前記傾斜隔壁（１６）の垂線方向に沿って貫通するように形成され、前記飾り板（１２）の前記嵌合部（２０）には、該嵌合部（２０）が前記嵌合孔（１８）に嵌合した状態で前記飾り板（１２）が水平姿勢となるように溝（５０）が形成されている。
【００５４】
このような構成によれば、嵌合孔は、前記傾斜隔壁の垂線方向に沿って貫通するように形成されるため、嵌合孔を形成するための加工が容易になる。また、複数の飾り板は、上記溝を形成することで、上記嵌合部が上記嵌合孔に嵌合した状態で姿勢が水平方向に保持されるため、飾り物を安定して載置できる。
【００５５】
９）さらに別な態様に係る飾り台（１０）は、８）に記載の飾り台であって、前記傾斜隔壁（１６）が鉛直方向に対してなす角度をθ１とし、前記溝（５０）の底面（５０ａ）が前記飾り板（１２）の上面に対してなす角度をθ２としたとき、θ２≦θ１を満たすように構成される。
【００５６】
このような構成によれば、飾り板の嵌合部を嵌合孔に挿入したとき、飾り板の姿勢を水平方向に保持できる。
【００５７】
１０）さらに別な態様に係る飾り台（１０）は、８）又は９）に記載の飾り台であって、前記傾斜隔壁（１６）に形成された前記嵌合孔（１８）の奥行寸法をｔ１とし、前記溝（５０）の奥行寸法をｔ２としたとき、ｔ１≦ｔ２を満たすように構成される。
【００５８】
このような構成によれば、嵌合孔の内面全面を上記溝の底面で受けることができるため、飾り板の嵌合部が嵌合孔から抜け出すのを抑制できる。
【００５９】
１１）さらに別な態様に係る飾り台（１０）は、８）乃至１０）の何れかに記載の飾り台であって、前記傾斜隔壁（１６）が鉛直方向に対してなす角度をθ１とし、前記嵌合孔（１８）の奥行寸法をｔ１とし、前記嵌合孔（１８）の前記垂線（Ｌｐ）と直交する上下方向の寸法をｄとしたとき、前記溝（５０）が形成された前記嵌合部（２０）の最小厚さｘは、下記（１）式を満たすように構成される。
ｘ≦ｄ・ｃｏｓθ１−ｔ１・ｓｉｎθ１      （１）
【００６０】
このような構成によれば、嵌合部が嵌合孔に挿入された飾り板の姿勢を水平に保持することができる。
【符号の説明】
【００６１】
１０    飾り台
１２    飾り板
１２ａ    側端面
１４    支持構造物
１６    傾斜隔壁（傾斜壁部）
１８    嵌合孔
２０    嵌合部
２２    ひな人形
２４    羽子板
２６    毛氈
３０    第１板部
３０ａ    一端部
３０ｂ    他端部
３２    第２板部
３２ａ    一端部
３２ｂ    他端部
３４    第１ヒンジ部
４０    ストッパ
４２    第２ヒンジ部
４４    突起部
４６、５２    凹部
４８    支持部
５０    溝
５０ａ    底面
５０ｂ    側面
Ｐ、Ｑ    支持点
ｓ      隙間
α      開き角
【図１】
0003228824.tif 000003
【図２】
0003228824.tif 000004
【図３】
0003228824.tif 000005
【図４】
0003228824.tif 000006
【図５】
0003228824.tif 000007
【図６】
0003228824.tif 000008
【図７】
0003228824.tif 000009
【図８】
0003228824.tif 000010